(57)【要約】【課題】温度上昇時においても画像表示に異常をきたさないようにする。【解決手段】コレステリック液晶の配向状態を変更して画像を表示する表示装置１４０には温度センサ１５０が設けられている。温度センサ１５０の出力はＡＤコンバータ１１４を介してＣＰＵ１１１に入力され、ＣＰＵ１１１は、表示装置１４０の温度を検知する。ＣＰＵ１１１は、表示装置１４０をＤＤＳにより駆動する時の選択期間の時間間隔を、この検知した温度に基づいて決定する。ＣＰＵ１１１は、温度が所定温度未満の範囲内にある場合、この範囲内においては温度の上昇に伴って選択期間の時間間隔を短くする。一方、温度が所定温度以上の範囲にある場合、この範囲においては温度が変化しても選択期間の時間間隔を変更せずに一定にする。【選択図】図１
2008242379.tif 000002
【特許請求の範囲】
【請求項１】
複数の走査電極と複数のデータ電極との重なりに対応して設けられ、前記走査電極に走
査電圧が印加され、かつ前記データ電極にデータ電圧が印加されたときに、前記データ電
圧および前記走査電圧に応じた駆動電圧が印加される電気光学層を含む複数の表示画素を
有する表示装置を駆動する表示駆動装置であって、
前記表示装置の温度を検知する温度検知手段と、
前記温度検知手段により検知された検知温度が所定温度未満である場合には、前記表示
画素の階調を選択する駆動電圧が印加される選択期間の時間間隔を前記検知温度に基づい
た時間間隔とし、前記検知温度が所定温度以上である場合には、前記選択期間の時間間隔
を一定時間とする選択期間設定手段と、
前記選択期間設定手段で設定された時間間隔で前記駆動電圧を前記表示画素に印加する
電圧印加手段と
を有する表示駆動装置。
【請求項２】
前記電圧印加手段は、
前記表示画素の階調を第１階調と第２階調との間の中間階調とする際、前記選択期間内
において、前記表示画素を第１階調にする第１駆動電圧と、前記表示画素を第２階調にす
る第２駆動電圧とのいずれか一方の電圧を印加した後に他方の電圧を印加する際に、前記
第１駆動電圧の印加期間と前記第２駆動電圧を印加期間を制御して該中間階調に対応した
駆動電圧を前記表示画素に印加すること
を特徴とする請求項１に記載の表示駆動装置。
【請求項３】
前記電圧印加手段は、
前記検知温度が所定温度未満である場合には、前記表示画素を第１階調にする第１駆動
電圧と前記表示画素を第２階調にする第２駆動電圧とのいずれかを、前記表示画素の階調
を指定するデータに基づいて前記走査電極の電圧と前記データ電極の電圧を制御して前記
表示画素毎に印加し、
前記検知温度が所定温度以上である場合には、前記表示画素の階調を前記第１階調にす
る第１駆動電圧と前記表示画素の階調を前記第２階調にする電圧であって前記第２駆動電
圧より高い第３駆動電圧とのいずれかを、前記表示画素の階調を指定するデータに基づい
て前記走査電極の電圧と前記データ電極の電圧を制御して前記表示画素毎に印加すること
を特徴とする請求項１に記載の表示駆動装置。
【請求項４】
前記電圧印加手段は、前記検知温度が所定温度以上である場合には、前記検知温度に基
づいて前記走査電極の電圧と前記データ電極の電圧を制御して前記第３駆動電圧を変化さ
せることを特徴とする請求項３に記載の表示駆動装置。
【請求項５】
前記電圧印加手段は、前記検知温度が所定温度以上である場合には、前記表示画素の階
調を前記第１階調にする電圧であって前記第１電圧より高い第４駆動電圧と、前記表示画
素の階調を前記第２階調にする電圧であって前記第２駆動電圧より高い第３駆動電圧との
いずれかを、前記表示画素の階調を指定するデータに基づいて前記走査電極の電圧と前記
データ電極の電圧を制御して前記表示画素毎に印加することを特徴とする請求項３に記載
の表示駆動装置。
【請求項６】
前記電圧印加手段は、前記検知温度が所定温度以上である場合には、前記検知温度に応
じて前記走査電極の電圧と前記データ電極の電圧を制御して前記第３駆動電圧を変化させ
ると共に、前記検知温度に応じて前記走査電極の電圧と前記データ電極の電圧を制御して
前記第４駆動電圧を変化させることを特徴とする請求項５に記載の表示駆動装置。
【請求項７】
前記電圧印加手段は、前記検知温度が所定温度以上である場合においては、前記表示画
素の階調を前記第１階調と前記第２階調の間の階調にする場合、前記階調に対応した前記
第３駆動電圧と前記第４駆動電圧との間の駆動電圧を前記表示画素の階調を指定するデー
タに基づいて前記走査電極の電圧と前記データ電極の電圧を制御して印加することを特徴
とする請求項６に記載の表示駆動装置。
【請求項８】
複数の走査電極と複数のデータ電極との重なりに対応して設けられ、前記走査電極に走
査電圧が印加され、かつ前記データ電極にデータ電圧が印加されたときに、前記データ電
圧および前記走査電圧に応じた駆動電圧が印加される電気光学層を含む複数の表示画素と
、
前記表示画素の温度を検知する温度検知手段と、
前記温度検知手段により検知された検知温度が所定温度未満である場合には、前記表示
画素の階調を選択する駆動電圧が印加される選択期間の時間間隔を前記検知温度に基づい
た時間間隔とし、前記検知温度が所定温度以上である場合には、前記選択期間の時間間隔
を一定時間とする選択期間設定手段と、
前記選択期間設定手段で設定された時間間隔で前記駆動電圧を前記表示画素に印加する
電圧印加手段と
を有する表示装置。
【請求項９】
請求項８に記載の表示装置を有する電子機器。
【発明の詳細な説明】
【技術分野】
【０００１】
本発明は、記憶性液晶を用いて画像表示を行う技術に関する。
【背景技術】
【０００２】
コレステリック液晶の配向状態を切り替えることで画像表示を行うコレステリック液晶
パネルの駆動方式として、ＤＤＳ（Dynamic Drive Scheme）方式がある（例えば、特許文
献１参照）。このＤＤＳを行う液晶駆動回路にあっては、一般に、表示対象画像のビット
マップデータが読込用クロック信号に従って１ライン分づつ順次読み込まれる。そして、
読み込まれたデータに基づいて液晶が駆動され、表示対象画像を表示させるための電圧パ
ターンがデータ電極に印加される。
【０００３】
【特許文献１】米国特許第５７４８２７７号明細書
【発明の開示】
【発明が解決しようとする課題】
【０００４】
さて、ＤＤＳにおける選択電圧を一定にしてコレステリック液晶を駆動した場合、コレ
ステリック液晶は温度が高くなると粘性が低くなるため、液晶の温度が上昇した際にはＤ
ＤＳにおける選択期間を短くする必要がある。しかし、ＤＤＳにおいては選択期間に１ラ
イン分のビットマップデータを全て読み込むため、選択期間が短いと、例えば、データ電
極の総数が４０００ラインもあるような高精細な液晶パネルにおいては、データ数が多い
ため選択期間中に全てのデータを読み込むことができず、表示が正しく行われなくなる恐
れがある。これに対し、読込用クロックの周波数を高くする方法も考えられるが、読込用
クロックの周波数を高くすると消費電力が増大してしまうという問題が生じてしまう。ま
た、一般的にコレステリック液晶の駆動を可能とする高電圧回路を想定した場合、読み込
み用クロックの周波数を高くすると、駆動回路そのものが動作不能になるという問題も生
じる。
【０００５】
本発明は、上述した背景の下になされたものであり、その目的は、温度上昇時において
も画像表示に異常をきたさないようにすることにある。
【課題を解決するための手段】
【０００６】
上述した課題を解決するために本発明は、複数の走査電極と複数のデータ電極との重な
りに対応して設けられ、前記走査電極に走査電圧が印加され、かつ前記データ電極にデー
タ電圧が印加されたときに、前記データ電圧および前記走査電圧に応じた駆動電圧が印加
される電気光学層を含む複数の表示画素を有する表示装置を駆動する表示駆動装置であっ
て、前記表示装置の温度を検知する温度検知手段と、前記温度検知手段により検知された
検知温度が所定温度未満である場合には、前記表示画素の階調を選択する駆動電圧が印加
される選択期間の時間間隔を前記検知温度に基づいた時間間隔とし、前記検知温度が所定
温度以上である場合には、前記選択期間の時間間隔を一定時間とする選択期間設定手段と
、前記選択期間設定手段で設定された時間間隔で前記駆動電圧を前記表示画素に印加する
電圧印加手段とを有する表示駆動装置を提供する。
【０００７】
本発明においては、前記電圧印加手段は、前記表示画素の階調を第１階調と第２階調と
の間の中間階調とする際、前記選択期間内において、前記表示画素を第１階調にする第１
駆動電圧と、前記表示画素を第２階調にする第２駆動電圧とのいずれか一方の電圧を印加
した後に他方の電圧を印加する際に、前記第１駆動電圧の印加期間と前記第２駆動電圧を
印加期間を制御して該中間階調に対応した駆動電圧を前記表示画素に印加してもよい。
また、本発明においては、前記電圧印加手段は、前記検知温度が所定温度未満である場
合には、前記表示画素を第１階調にする第１駆動電圧と前記表示画素を第２階調にする第
２駆動電圧とのいずれかを、前記表示画素の階調を指定するデータに基づいて前記走査電
極の電圧と前記データ電極の電圧を制御して前記表示画素毎に印加し、前記検知温度が所
定温度以上である場合には、前記表示画素の階調を前記第１階調にする第１駆動電圧と前
記表示画素の階調を前記第２階調にする電圧であって前記第２駆動電圧より高い第３駆動
電圧とのいずれかを、前記表示画素の階調を指定するデータに基づいて前記走査電極の電
圧と前記データ電極の電圧を制御して前記表示画素毎に印加してもよい。
【０００８】
また、本発明においては、前記電圧印加手段は、前記検知温度が所定温度以上である場
合には、前記検知温度に基づいて前記走査電極の電圧と前記データ電極の電圧を制御して
前記第３駆動電圧を変化させてもよい。
【０００９】
また、本発明においては、前記電圧印加手段は、前記検知温度が所定温度以上である場
合には、前記表示画素の階調を前記第１階調にする電圧であって前記第１電圧より高い第
４駆動電圧と、前記表示画素の階調を前記第２階調にする電圧であって前記第２駆動電圧
より高い第３駆動電圧とのいずれかを、前記表示画素の階調を指定するデータに基づいて
前記走査電極の電圧と前記データ電極の電圧を制御して前記表示画素毎に印加してもよい
。
【００１０】
また、本発明においては、前記電圧印加手段は、前記検知温度が所定温度以上である場
合には、前記検知温度に応じて前記走査電極の電圧と前記データ電極の電圧を制御して前
記第３駆動電圧を変化させると共に、前記検知温度に応じて前記走査電極の電圧と前記デ
ータ電極の電圧を制御して前記第４駆動電圧を変化させてもよい。
【００１１】
また、本発明においては、前記電圧印加手段は、前記検知温度が所定温度以上である場
合においては、前記表示画素の階調を前記第１階調と前記第２階調の間の階調にする場合
、前記階調に対応した前記第３駆動電圧と前記第４駆動電圧との間の駆動電圧を前記表示
画素の階調を指定するデータに基づいて前記走査電極の電圧と前記データ電極の電圧を制
御して印加してもよい。
【００１２】
また、本発明は、複数の走査電極と複数のデータ電極との重なりに対応して設けられ、
前記走査電極に走査電圧が印加され、かつ前記データ電極にデータ電圧が印加されたとき
に、前記データ電圧および前記走査電圧に応じた駆動電圧が印加される電気光学層を含む
複数の表示画素と、前記表示画素の温度を検知する温度検知手段と、前記温度検知手段に
より検知された検知温度が所定温度未満である場合には、前記表示画素の階調を選択する
駆動電圧が印加される選択期間の時間間隔を前記検知温度に基づいた時間間隔とし、前記
検知温度が所定温度以上である場合には、前記選択期間の時間間隔を一定時間とする選択
期間設定手段と、前記選択期間設定手段で設定された時間間隔で前記駆動電圧を前記表示
画素に印加する電圧印加手段とを有する表示装置を提供する。
また、本発明は、当該表示装置を備える電子機器を提供する。
【発明を実施するための最良の形態】
【００１３】
［第１実施形態］
［実施形態の構成］
図１は、本発明の一実施形態に係る電子機器１００のハードウェア構成の概略図である
。電子機器１００は、文字や図形、写真等の画像の表示を行う電子機器であり、制御回路
１１０、電源回路１２０、表示体駆動回路１３０、表示装置１４０、複数の温度センサ１
５０、インターフェース１６０を備えている。以下、各部の構成について説明する。
【００１４】
（表示装置１４０）
表示装置１４０は画像の表示を行う装置である。この表示装置１４０は、透明電極が設
けられた２枚のガラス基板によって電気光学層を上下から挟み込んで封止した装置であり
、電気光学層としては、電力を供給しなくとも配向状態を維持できるコレステリック液晶
を含む液晶層を有している。図２（ａ）〜（ｃ）は、表示装置１４０の断面およびコレス
テリック液晶の配向状態を示した図である。図２（ａ）〜（ｃ）に示したように、表示装
置１４０は、上側透明電極１４１４を有する上側ガラス基板１４１２、下側透明電極１４
１５を有する下側ガラス基板１４１３、コレステリック液晶層１４１１、光吸収層１４１
６を有している。この表示装置１４０においては、コレステリック液晶層１４１１は上側
ガラス基板１４１２と下側ガラス基板１４１３との間に挟まれて封止されている。また、
下側ガラス基板１４１３の下には光吸収層１４１６が配置されている。
【００１５】
また、上側透明電極１４１４と下側透明電極１４１５には、コレステリック液晶に電圧
を印加するための走査線とデータ線とが設けられている。図３は、この走査線とデータ線
とを模式的に示した図である。表示装置１４０の一方のガラス基板にはｎ桁の走査線Ｙ１
、Ｙ２、…、Ｙｎが設けられており、もう一方のガラス基板には走査線に対して直交する
方向にｍ列のデータ線Ｘ１、Ｘ２、…、Ｘｍが設けられている。これにより表示装置１４
０においては、ｎ×ｍのマトリクスが形成されている（ｎおよびｍは正の整数）。
【００１６】
平面視した時に走査線とデータ線とが重なる位置で走査線とデータ線とに挟まれるコレ
ステリック液晶には、走査線に印加される電圧（走査電圧）とデータ線に印加される電圧
（データ電圧）との差に相当する電圧（以下、この電圧を「駆動電圧」という）が印加さ
れる。走査線とデータ線とに挟まれたコレステリック液晶の配向状態は駆動電圧に応じて
遷移する。つまり、走査線とデータ線とが重なる位置にあるコレステリック液晶の各々が
画像を形成する画素の役割を担うこととなる。以降の説明では、この走査線とデータ線と
が重なる位置において個別に配向状態を遷移させられるコレステリック液晶の各々を「電
気光学素子１４１」と称する。
【００１７】
図２（ａ）はプレーナ配向（以下、「Ｐ配向」という）、図２（ｂ）はフォーカルコニ
ック配向（以下、「Ｆ配向」という）、図２（ｃ）はホメオトロピック配向（以下、「Ｈ
配向」という）を模式的に示した図である。Ｐ配向状態では、上側ガラス基板１４１２側
から入射した光がＰ配向状態にあるコレステリック液晶層１４１１で反射されて白が表示
される。また、Ｆ配向状態では、上側ガラス基板１４１２側から入射した光がＦ配向状態
にあるコレステリック液晶層１４１１を透過する。コレステリック液晶層１４１１を透過
した光は光吸収層１４１６に到達して吸収されるため、黒が表示される。また、コレステ
リック液晶に印加する電圧を制御することにより、Ｐ配向状態とＦ配向状態を混在させて
中間階調を表示することも可能である。また、Ｈ配向状態では、コレステリック液晶の分
子構造は螺旋構造が崩れた状態になり、上側ガラス基板１４１２側から入射した光はコレ
ステリック液晶を透過する。なお、Ｈ配向は安定状態ではないためコレステリック液晶に
電圧が印加されている状態においてのみ存在する。
【００１８】
このように、コレステリック液晶の配向状態を制御することにより、表示装置１４０で
は白および黒の表示を行うことができるが、本実施形態においてはコレステリック液晶の
配向状態をＤＤＳ（Dynamic Drive Scheme）により変更する。
【００１９】
図４は、ＤＤＳによりコレステリック液晶の配向状態を制御するときの電圧の印加期間
を示した図である。ＤＤＳによりコレステリック液晶の配向状態を変更するときは、電圧
の印加期間は図４に示したように非選択期間（Non-selection phase）、リセット期間（P
reparation phase）、選択期間（Selection phase）、保持期間（Evolution phase）の４
つの期間に分けられる。そして、走査線Ｙ１〜Ｙｎに対して１ラインづつ順番に選択期間
が割り当てられる（図４においては走査線Ｙ１〜Ｙ４のみ図示）。
【００２０】
図５は、ＤＤＳにおけるコレステリック液晶の配向状態の遷移を示した図である。まず
リセット期間においては、Ｐ配向またはＦ配向にある電気光学素子１４１をＨ配向にする
電圧（以下、リセット電圧という）が電気光学素子１４１に印加される。これにより、電
気光学素子１４１はＨ配向に遷移する。
【００２１】
次に選択期間においては、コレステリック液晶の表示状態を要求される表示状態（２階
調であれば白または黒）に対応した配向状態とするための選択電圧が印加される。具体的
には、白を表示する場合にはＨ配向の配向状態を維持する電圧が電気光学素子１４１に印
加され、黒を表示する場合には配向状態をＨ配向とＰ配向の中間的な状態である過渡プレ
ーナ配向（以下、「ＴＰ配向」という）にする電圧が電気光学素子１４１に印加される。
これにより、電気光学素子１４１は、要求される表示状態に対応してＨ配向またはＴＰ配
向のいずれかに遷移する。
【００２２】
次に保持期間においては、要求される表示状態を維持するための電圧（以下、「保持電
圧」という）が印加される。保持電圧が印加されると、選択期間においてＨ配向となった
電気光学素子１４１はＨ配向状態が維持され、ＴＰ配向となった電気光学素子１４１はＦ
配向に遷移する。
【００２３】
次に非選択期間において保持電圧が除去されると、保持期間においてＨ配向であった電
気光学素子１４１はＰ配向に遷移して白を表示し、保持期間においてＦ配向であった電気
光学素子１４１はＦ配向を維持して黒を表示する。なお、コレステリック液晶は双安定性
を有する材料であるため、電圧を印加しない状態であってもＰ配向またはＦ配向を維持す
ることができる。
【００２４】
次に、配向状態を遷移させるときに電気光学素子１４１に印加する電圧の波形を説明す
る。図６は、ＤＤＳにおいて走査線に印加される電圧の波形、データ線に印加される電圧
の波形、および駆動電圧の波形を示した図である。図６に示したように本実施形態におい
ては、コレステリック液晶の劣化を防ぐために駆動電圧として正負の電圧が交互に電気光
学素子１４１に印加される。なお、図６に示されている電圧Ｖ１は、黒を表示する時に駆
動電圧として印加する黒選択電圧Ｖ１であり、電圧Ｖ２は、白を表示する時に駆動電圧と
して印加する白選択電圧Ｖ２である。
【００２５】
まず、画素を白とする場合、画素に対応するデータ線の電圧（以下、「データ電圧ＶＳ
ＥＧ」という）は、選択期間の前半においては白を表示するための白選択電圧Ｖ２、選択
期間の後半においては黒を表示するための黒選択電圧Ｖ１にされる。ここで、Ｖ２とＶ１
の大小関係は、Ｖ２＞Ｖ１である。このとき画素に対応する走査線の電圧（以下、「走査
電圧ＶＣＯＭ」という）は、選択期間の前半においてはゼロ、後半においては（Ｖ１＋Ｖ
２）にされる。これにより、選択期間において画素に対応する電気光学素子１４１に印加
される駆動電圧（データ電圧ＶＳＥＧ−走査電圧ＶＣＯＭ）は、選択期間の前半において
はＶ２、後半においては−Ｖ２となり、選択期間においてはＨ配向が維持される。
【００２６】
一方、非選択期間においては画素の走査電圧ＶＣＯＭは（Ｖ１＋Ｖ２）／２にされる。
なお、非選択期間においては、データ線に白を表示させるための波形と黒を表示させるた
めの波形のいずれが印加されようとも、Ｈ配向となっている電気光学素子１４１に印加さ
れる駆動電圧（データ電圧ＶＳＥＧ−走査電圧ＶＣＯＭ）の非選択期間全体の実効値は、
（Ｖ２−Ｖ１）／２となり、電気光学素子１４１はＨ配向からＰ配向に遷移して白が表示
される。
【００２７】
また、黒を表示する場合、画素に対応するデータ線の電圧は、選択期間の前半において
は黒を表示するための黒選択電圧Ｖ１にされ、選択期間の後半においては白を表示するた
めの白選択電圧Ｖ２にされる。このとき画素に対応する走査線の電圧は、選択期間の前半
においてはゼロ、後半においては（Ｖ１＋Ｖ２）にされる。これにより、選択期間におい
て画素に対応する電気光学素子１４１に印加される駆動電圧（データ電圧ＶＳＥＧ−走査
電圧ＶＣＯＭ）は、選択期間の前半においてはＶ１、後半においては−Ｖ１となり、選択
期間においてはＴＰ配向となる。そして、ＴＰ配向となった電気光学素子１４１は、保持
期間においてＦ配向に遷移して黒が表示される。
【００２８】
また、ある画素を中間階調とする場合、画素に対応するデータ線には、選択期間の前半
において黒選択電圧Ｖ１と白選択電圧Ｖ２が印加され、また、選択期間の後半においても
黒選択電圧Ｖ１と白選択電圧Ｖ２が印加される。これにより、選択期間において画素に対
応する電気光学素子１４１に印加される駆動電圧（データ電圧ＶＳＥＧ−走査電圧ＶＣＯ
Ｍ）は、選択期間の前半においてはＶ１の後でＶ２となり、後半においては−Ｖ２の後で
−Ｖ１となり、非選択期間においてＰ配向とＦ配向が混在して中間階調が表示される。な
お、選択期間の前半と後半においては、白選択電圧Ｖ２が印加される期間と、黒選択電圧
Ｖ１が印加される期間は、図６に示したように異なっており、白選択電圧Ｖ２のパルス幅
を制御することにより階調を変えることも可能である。
【００２９】
（温度センサ１５０）
温度センサ１５０は温度を測定するためのセンサであり、光吸収層１４１６の下に配置
されている。本実施形態においては、５つの温度センサ１５０が矩形の光吸収層１４１６
の下面に配置されており、図１に示したように、そのうちの１つは光吸収層１４１６の中
央に配置され、他の４つは矩形の４隅の各々に配置されている。
そして、温度センサ１５０は、図７に示したようにサーミスタ１５１と抵抗１５２とを
有している。サーミスタ１５１の一端は接地されており、もう一端は抵抗１５２の一端に
接続されている。また、抵抗１５２のもう一端は電圧源に接続されている。サーミスタ１
５１は温度の変化に応じて抵抗値が変化する素子であるため、図７に示した温度センサ１
５０において温度変化に応じてサーミスタ１５１の抵抗値が変化すると、この変化に応じ
てサーミスタ１５１と抵抗１５２との間の接続点１５３の電圧値が変化する。即ち、接続
点１５３の電圧値はサーミスタ１５１の温度変化に応じて変化するため、接続点１５３の
電圧値を検知することにより、温度センサ１５０が設けられている部分の温度を知ること
ができる。
【００３０】
（インターフェース１６０）
インターフェース１６０は、表示装置１４０に表示されている表示の書き換えを行うた
めの書き換えキーなど、電子機器１００を操作するためのキーを有しており、キーが操作
されるとキーが操作されたことを示す信号を制御回路１１０へ出力する。
また、インターフェース１６０は、他のコンピュータ装置と通信を行う通信インターフ
ェース機能を備えている。インターフェース１６０は、他のコンピュータ装置から送信さ
れた各種データ（例えば、画像を表す画像データ等）を受信し、受信したデータをＣＰＵ
１１１へ出力する。
【００３１】
（制御回路１１０）
制御回路１１０は、表示体駆動回路１３０を制御する回路であり、ＣＰＵ（Central Pr
ocessing Unit）１１１、ＲＯＭ（Read Only Memory）１１２、ＲＡＭ（Random Access M
emory）１１３、ＡＤ（Analog Digital）コンバータ１１４、表示体駆動制御回路１１５
を有している。ＣＰＵ１１１には、ＲＯＭ１１２、ＲＡＭ１１３、表示体駆動制御回路１
１５、電源回路１２０が接続されている。ＣＰＵ１１１はＲＯＭ１１２に記憶されている
制御プログラムに従って動作し、表示体駆動制御回路１１５を制御する。また、ＣＰＵ１
１１には、ＡＤコンバータ１１４、インターフェース１６０が接続されいる。ＣＰＵ１１
１は、インターフェース１６０から入力される信号や、ＡＤコンバータ１１４から入力さ
れる信号に基づいて表示体駆動制御回路１１５を制御する。また、ＲＡＭ１１３には、他
のコンピュータ装置からインターフェース１６０を介して受信された画像データが記憶さ
れる。
【００３２】
また、ＲＯＭ１１２には、図８に示したテーブルＴＢ１が記憶されている。テーブルＴ
Ｂ１は、「基準温度」フィールドと「選択期間」フィールドを有しており、「基準温度」
フィールドには温度を表す数値が格納され、「選択期間」フィールドには、図４に示した
選択期間の時間間隔を示す時間が格納されている。なお、テーブルＴＢ１においては、低
い温度から温度が高くなるにつれて、温度に対応付けて格納されている時間がａ０［ｍｓ
］＞ａ１［ｍｓ］＞ａ２［ｍｓ］＞・・・＞ａ４４［ｍｓ］＞ａ４５［ｍｓ］というよう
に短くなっている。また、本実施形態においては、４５℃以上の温度においては、対応し
て格納されている時間はいずれも同じ時間（ａ４５［ｍｓ］）となっている。
【００３３】
ＡＤコンバータ１１４はアナログ信号をデジタル信号に変換する回路であり、表示装置
１４０に配置されている複数の温度センサ１５０の各接続点１５３に接続されている。Ａ
Ｄコンバータ１１４は、接続点１５３の電圧値をデジタル値に変換してＣＰＵ１１１へ出
力する。
【００３４】
表示体駆動制御回路１１５は、ＣＰＵ１１１の制御の下、電源回路１２０や表示体駆動
回路１３０を制御する回路である。表示体駆動制御回路１１５は、図示せぬＶＲＡＭ（Vi
deo Random Access Memory）を有しており、画像を表すビットマップデータをＶＲＡＭに
格納する。
【００３５】
（電源回路１２０）
電源回路１２０は、データ電極駆動回路１３１に接続されたデータ電極用電源回路１２
１と、走査電極駆動回路１３２に接続された走査電極用電源回路１２２とを有している。
データ電極用電源回路１２１は、図６に示した黒選択電圧Ｖ１と、白選択電圧Ｖ２とを
生成する回路であり、生成した電圧をデータ電極駆動回路１３１へ供給する。
また、走査電極用電源回路１２２は、リセット電圧、保持電圧、選択期間や非選択期間
において走査線に印加する電圧（図６に示した０Ｖ、Ｖ１＋Ｖ２、（Ｖ１＋Ｖ２）／２）
）等を生成する回路であり、生成した電圧を走査電極駆動回路１３２へ供給する。
【００３６】
（データ電極駆動回路１３１、走査電極駆動回路１３２）
走査電極駆動回路１３２は、走査線に電圧を印加する回路である。走査電極駆動回路１
３２は、表示体駆動制御回路１１５の制御の下、リセット電圧や保持電圧、選択期間や非
選択期間において走査線に印加する電圧等、走査電極用電源回路１２２から供給された電
圧を選択して出力し、図６に示した波形の電圧を走査線に印加する。
【００３７】
また、データ電極駆動回路１３１は、データ線に電圧を印加する回路である。データ電
極駆動回路１３１は、表示体駆動制御回路１１５から送られるデータに応じて、データ電
極用電源回路１２１から供給された電圧のいずれかを選択して出力し、各データ線に図６
示した波形の電圧を印加する。
【００３８】
［実施形態の動作］
次に本実施形態に係る電子機器１００において画像表示を行う時の動作について説明す
る。
【００３９】
（画像表示動作）
まず、ＲＡＭ１１３に格納された画像データが表す画像の表示を指示する操作をユーザ
がインターフェース１６０において行うと、ＣＰＵ１１１は、ＡＤコンバータ１１４から
出力されているデジタル値、即ち、温度センサ１５０で測定された温度を表す値を取得し
、取得した値をＲＡＭ１１３に格納する。本実施形態では、５つの温度センサが表示装置
１４０に配置されているため、各温度センサ１５０に対応した５つのデジタル値がＲＡＭ
１１３に格納される。ＣＰＵ１１１は、ＲＡＭ１１３にデジタル値を格納すると、格納し
たデジタル値を温度の値に変換する。なお、デジタル値を温度値に変換する際には、デジ
タル値と温度値との対応関係を表したテーブルを用いてもよいし、予め記憶した数式に基
づいてデジタル値を温度値に変換してもよい。次にＣＰＵ１１１は、変換された５つの温
度値の平均値（代表値）を算出する。ＣＰＵ１１１は温度の平均値を算出すると、算出し
た平均値と同じ値に対応付けてテーブルＴＢ１に格納されている時間間隔を読み出す。例
えば、平均値が４４℃以上〜４５℃未満の範囲内であった場合、図８に示したテーブルＴ
Ｂ１から選択期間の時間として「ａ４４［ｍｓ］」が読み出される。そしてＣＰＵ１１１
は、読み出した時間を表示体駆動制御回路１１５へ出力する。
【００４０】
ＣＰＵ１１１は、表示体駆動制御回路１１５への時間の出力が終了すると、ＲＡＭ１１
３に記憶されている画像データが表すｎ行×ｍ列の画像のビットマップデータを生成する
。そして、生成したビットマップデータを表示体駆動制御回路１１５へ出力する。表示体
駆動制御回路１１５は、ＣＰＵ１１１から出力されたビットマップデータを受け取ると、
受け取ったビットマップデータをＶＲＡＭに記憶させる。そして、表示体駆動制御回路１
１５においてビットマップデータの記憶が終了すると、ビットマップデータが表す画像の
表示が表示装置１４０において行われる。
【００４１】
以下、画像の表示について表示装置１４０の走査線Ｙ１に着目して具体的に説明すると
、まずリセット電圧が図４に示したリセット期間において走査電極駆動回路１３２から出
力されて走査線Ｙ１に印加され、リセット期間が終了すると選択期間に移行する。ここで
、この選択期間の時間間隔は、ＣＰＵ１１１から表示体駆動制御回路１１５へ出力された
時間である「ａ４４［ｍｓ］」となる。この選択期間においては、ビットマップデータが
表す画像の１行目のデータが表示体駆動制御回路１１５からデータ電極駆動回路１３１へ
出力され、データ電極駆動回路１３１に読み込まれる。そして、走査線Ｙ１においては、
図６に示した選択期間走査電圧波形の電圧が走査電極駆動回路１３２から印加される。
【００４２】
一方、データ線Ｘ１、Ｘ２、…、Ｘｍにおいては、表示体駆動制御回路１１５から出力
されたビットマップデータに応じてデータ電極駆動回路１３１から電圧が印加される。例
えば、１行目のビットマップデータの１列目の画素が白である場合、データ線Ｘ１におい
ては、図６に示した、選択期間の前半においては白選択電圧Ｖ２、選択期間の後半におい
ては黒選択電圧Ｖ１という波形の電圧が印加される。これにより、走査線Ｙ１とデータ線
Ｘ１とが交差する位置の電気光学素子１４１には、選択期間の前半においてはＶ２、後半
においては−Ｖ２という電圧が印加され、コレステリック液晶がＨ配向となる。
【００４３】
また、例えば、ビットマップデータの２列目の画素が黒である場合、データ線Ｘ２にお
いては、図６に示した、選択期間の前半においては黒選択電圧Ｖ１、選択期間の後半にお
いては白選択電圧Ｖ２という波形の電圧が印加される。これにより、走査線Ｙ１とデータ
線Ｘ２とが交差する位置の電気光学素子１４１には、選択期間の前半においてはＶ１、後
半においては−Ｖ１という電圧が印加され、コレステリック液晶がＴＰ配向となる。
【００４４】
次に、選択期間が終了すると保持期間に移行し、保持期間においては保持電圧がコレス
テリック液晶に印加される。これにより、走査線Ｙ１とデータ線Ｘ１とが交差する位置の
電気光学素子１４１においては、コレステリック液晶の配向状態がＨ配向となっているの
でＨ配向が保たれ、走査線Ｙ１とデータ線Ｘ２とが交差する位置の電気光学素子１４１に
おいては配向状態がＴＰ配向となっているのでＦ配向に移行する。
そして、この後、保持期間から非選択期間に移行すると、走査線Ｙ１においては、図６
に示した非選択期間走査電圧波形の電圧が走査電極駆動回路１３２から印加されて保持電
圧が除去される。すると、保持期間においてＨ配向であった走査線Ｙ１とデータ線Ｘ１と
が交差する位置の電気光学素子１４１はＰ配向に遷移して白を表示し、保持期間において
Ｆ配向であった走査線Ｙ１とデータ線Ｘ２とが交差する位置の電気光学素子１４１はＦ配
向を維持して黒を表示する。
【００４５】
（温度上昇時の動作）
例えば、表示装置１４０の表面に太陽光または白熱灯の光が当たることにより表示装置
１４０の温度は上昇する。上述した動作の後で表示装置１４０の温度が上昇してから、再
度、画像の表示を指示する操作がユーザにより行われると、ＣＰＵ１１１は、上述した動
作と同様に複数の温度センサ１５０の出力結果から温度センサ１５０の位置の温度の平均
値を求める。ここで、温度の平均値が上昇して例えば４５℃以上〜４６℃未満の範囲内の
温度となった場合、図８に示したテーブルＴＢ１から選択期間の時間として温度の平均値
が４４℃の時より短い「ａ４５［ｍｓ］」という時間間隔が読み出される。そしてＣＰＵ
１１１は、読み出した時間間隔を表示体駆動制御回路１１５へ出力する。
【００４６】
この後、上述した動作と同様にしてビットマップデータが表示体駆動制御回路１１５へ
出力され、走査線とデータ線には各種電圧が印加される。なお、各種電圧を印加する際、
選択期間における時間間隔は、表示体駆動制御回路１１５がＣＰＵ１１１から受け取った
「ａ４５［ｍｓ］」となる。このように、電子機器１００においては、温度の上昇と共に
選択期間の時間間隔は短くなり、表示装置１４０の温度に対応した時間間隔となっている
ので、表示が異常な状態になることがない。
【００４７】
そして、太陽光または白熱灯の光が当たり続けると、表示装置１４０の温度はさらに上
昇する。表示装置１４０の温度がさらに上昇してから、再度、画像の表示を指示する操作
がユーザにより行われると、ＣＰＵ１１１は、上述した動作と同様に複数の温度センサ１
５０の出力結果から温度センサ１５０の位置の温度の平均値を求める。ここで、温度の平
均値が上昇して例えば４７℃以上〜４８℃未満の範囲内の温度となった場合、図８に示し
たテーブルＴＢ１から選択期間の時間間隔として、温度の平均値が４５℃の時と同じ「ａ
４５［ｍｓ］」という時間が読み出される。そしてＣＰＵ１１１は、読み出した時間を表
示体駆動制御回路１１５へ出力する。即ち、温度の平均値が４５℃以上となった場合、平
均の温度値にかかわらず、選択期間の時間間隔は一定となる。
【００４８】
この後、上述した動作と同様にしてビットマップデータが表示体駆動制御回路１１５へ
出力され、走査線とデータ線には各種電圧が印加される。ここで、各種電圧を印加する際
、選択期間における時間間隔は、表示体駆動制御回路１１５がＣＰＵ１１１から受け取っ
た「ａ４５［ｍｓ］」となる。このように、表示装置１４０の温度値が一定の値以上とな
ると、選択期間の時間間隔は所定の時間間隔に固定される。この時間間隔は、表示体駆動
制御回路１１５から１行分のビットマップデータをデータ電極駆動回路１３１へ出力する
のにかかる時間より長く設定されている。このため、データ線の数が数千ラインもあるよ
うな高精細な表示装置において、温度の上昇にあわせて選択期間の時間間隔を短くしてい
っても、選択期間において１行分のビットマップデータを全てデータ電極駆動回路１３１
に読み込ませることができるため表示が正しく行われる。
なお、選択期間における時間間隔「ａ４５［ｍｓ］」を元にして、実際の液晶の温度が
４７℃の場合には、図６におけるＡ，Ｂ期間の幅を制御し、４７℃においてグレー値を表
示可能なようにグレー値の電圧を変えることで、４７℃になっても階調を出すことが可能
となる。
【００４９】
［第２実施形態］
［実施形態の構成］
次に、本発明の第２実施形態について説明する。本実施形態に係る電子機器１００は、
第１実施形態に係る電子機器１００と同じ略構成となっているが、データ電極用電源回路
１２１と走査電極用電源回路１２２の構成が第１実施形態と異なる。また、本実施形態に
おいては、温度センサ１５０で検知した温度が所定の温度以上となった時の動作が第１実
施形態と異なる。以下、第１実施形態と異なる点について説明する。
【００５０】
（データ電極用電源回路１２１の構成）
図９は、データ電極用電源回路１２１が有する回路を示した図である。
この回路は、データ線に印加する白選択電圧を出力する回路であり、抵抗Ｒ１，Ｒ１１
，Ｒ１２、Ｐチャネルの電界効果型トランジスタＴＲ１１，ＴＲ１２（以下、トランジス
タＴＲ１１、トランジスタＴＲ１２と略称する）で構成されている。抵抗Ｒ１の一端は電
源ＶＤＤに接続されており、もう一端はトランジスタＴＲ１１とトランジスタＴＲ１２の
ソースに接続されている。
また、トランジスタＴＲ１１，ＴＲ１２と抵抗Ｒ１を接続する接続線はデータ電極駆動
回路１３１に接続されている（以下、この接続線においてデータ電極駆動回路１３１に接
続されている点を接続点Ｐ１という）。
トランジスタＴＲ１１，ＴＲ１２のゲートはＣＰＵ１１１に接続されている。また、ト
ランジスタＴＲ１１のドレインは抵抗Ｒ１１に接続され、トランジスタＴＲ１２のドレイ
ンは抵抗Ｒ１２に接続されている。そして、抵抗Ｒ１１，Ｒ１２においてトランジスタに
接続されていない方の端部はグランドＧＮＤに接続されている。なお、抵抗Ｒ１１の抵抗
値と抵抗Ｒ１２の抵抗値は異なっている。
【００５１】
ＣＰＵ１１１がトランジスタＴＲ１１のゲートに電圧を印加せず、且つトランジスタＴ
Ｒ１２のゲートに電圧を印加すると、トランジスタＴＲ１１がオンでトランジスタＴＲ１
２がオフとなり、電源ＶＤＤからトランジスタＴＲ１１を介して抵抗Ｒ１１へ電流が流れ
るため、接続点Ｐ１の電圧は、抵抗Ｒ１と抵抗Ｒ１１との分圧により白選択電圧Ｖ２とな
る。一方、ＣＰＵ１１１がトランジスタＴＲ１２のゲートに電圧を印加せず、且つトラン
ジスタＴＲ１１のゲートに電圧を印加すると、トランジスタＴＲ１２がオンでトランジス
タＴＲ１１がオフとなり、電源ＶＤＤからトランジスタＴＲ１２を介して抵抗Ｒ１２へ電
流が流れるため、接続点Ｐ１の電圧は、抵抗Ｒ１と抵抗Ｒ１２との分圧により白選択電圧
Ｖ２より高い電圧である白選択電圧Ｖ２１となる。
【００５２】
（走査電極用電源回路１２２の構成）
次に、図１０は、走査電極用電源回路１２２が有する回路を示した図である。この回路
は、選択期間において走査線に印加される電圧と、非選択期間において走査線に印加され
る電圧を生成する回路である。具体的には、図１０に示した回路Ｃ１は、選択期間におい
て走査線に印加される電圧を生成する回路であり、図１０に示した回路Ｃ２は、非選択期
間において走査線に印加される電圧を生成する回路である。
【００５３】
まず、回路Ｃ１は、選択期間において走査線に印加される電圧を出力する回路であり、
抵抗Ｒ２，Ｒ２１，Ｒ２２、Ｐチャネルの電界効果型トランジスタＴＲ２１，ＴＲ２２（
以下、トランジスタＴＲ２１、トランジスタＴＲ２２と略称する）を有し、各抵抗とトラ
ンジスタは図９に示した回路と同様に構成されている。
【００５４】
この回路Ｃ１において、ＣＰＵ１１１がトランジスタＴＲ２１のゲートに電圧を印加せ
ず、且つトランジスタＴＲ２２のゲートに電圧を印加すると、電源ＶＤＤからトランジス
タＴＲ２１を介して抵抗Ｒ２１へ電流が流れるため、接続点Ｐ２の電圧は、抵抗Ｒ２と抵
抗Ｒ２１との分圧により（Ｖ１＋Ｖ２）となる。
一方、ＣＰＵ１１１がトランジスタＴＲ２２のゲートに電圧を印加せず、且つトランジ
スタＴＲ２１のゲートに電圧を印加すると、トランジスタＴＲ２２がオンでトランジスタ
ＴＲ２１がオフとなり、電源ＶＤＤからトランジスタＴＲ２２を介して抵抗Ｒ２２へ電流
が流れるため、接続点Ｐ２の電圧は、抵抗Ｒ２と抵抗Ｒ２２との分圧により（Ｖ１＋Ｖ２
）高い電圧である（Ｖ１＋Ｖ２１）となる。
【００５５】
また、回路Ｃ２は、非選択期間において走査線に印加される電圧を出力する回路であり
、抵抗Ｒ３，Ｒ３１，Ｒ３２、Ｐチャネルの電界効果型トランジスタＴＲ３１，ＴＲ３２
（以下、トランジスタＴＲ３１、トランジスタＴＲ３２と略称する）を有し、各抵抗とト
ランジスタは図９に示した回路と同様に構成されている。
【００５６】
この回路Ｃ２において、ＣＰＵ１１１がトランジスタＴＲ３１のゲートに電圧を印加せ
ず、且つトランジスタＴＲ３２のゲートに電圧を印加すると、電源ＶＤＤからトランジス
タＴＲ３１を介して抵抗Ｒ３１へ電流が流れるため、接続点Ｐ３の電圧は、抵抗Ｒ３と抵
抗Ｒ３１との分圧により（Ｖ１＋Ｖ２）／２となる。一方、ＣＰＵ１１１がトランジスタ
ＴＲ３２のゲートに電圧を印加せず、且つトランジスタＴＲ３１のゲートに電圧を印加す
ると、トランジスタＴＲ３２がオンでトランジスタＴＲ３１がオフとなり、電源ＶＤＤか
らトランジスタＴＲ３２を介して抵抗Ｒ３２へ電流が流れるため、接続点Ｐ３の電圧は、
抵抗Ｒ３と抵抗Ｒ３２との分圧により（Ｖ１＋Ｖ２）／２高い電圧である（Ｖ１＋Ｖ２１
）／２となる。
【００５７】
［実施形態の動作］
次に本実施形態に係る電子機器１００において画像表示を行う時の動作について説明す
る。
【００５８】
（画像表示動作）
まず、５つの温度センサ１５０で検知された温度の平均値が４４℃であるときに、ＲＡ
Ｍ１１３に格納されている画像データが表す画像の表示を指示する操作をユーザがインタ
ーフェース１６０において行うと、上述した第１実施形態と同様に、選択期間の時間がａ
４４［ｍｓ］にされる。
また、ＣＰＵ１１１は、温度の平均値が４５℃未満である時には、トランジスタＴＲ１
１，ＴＲ２１，ＴＲ３１のゲートに電圧を印加せず、且つトランジスタＴＲ１２，ＴＲ２
２，ＴＲ３２のゲートに電圧を印加する。すると、データ電極用電源回路１２１が有する
図９の回路においては、接続点Ｐ１から白選択電圧Ｖ２がデータ電極駆動回路１３１へ供
給される。また、走査電極用電源回路１２２が有する回路Ｃ１においては、接続点Ｐ２か
ら電圧（Ｖ１＋Ｖ２）が走査電極駆動回路１３２へ供給され、回路Ｃ２においては、接続
点Ｐ３から電圧（Ｖ１＋Ｖ２）／２が走査電極駆動回路１３２へ供給される。そして、表
示装置１４０を駆動する際には、これらの電圧が選択されて表示装置１４０に印加され、
画像の表示が行われる。
【００５９】
次に、表示装置１４０の表面に太陽光または白熱灯の光が当たることにより、５つの温
度センサ１５０で検知された温度の平均値が４５℃以上になった後、再度、画像の表示を
指示する操作がユーザにより行われると、図８に示したテーブルＴＢ１から選択期間の時
間として温度の平均値が４４℃の時より短い「ａ４５［ｍｓ］」という時間間隔が読み出
される。そしてＣＰＵ１１１は、読み出した時間間隔を表示体駆動制御回路１１５へ出力
する。
【００６０】
また、ＣＰＵ１１１は、温度の平均値が４５℃以上になると、トランジスタＴＲ１２，
ＴＲ２２，ＴＲ３２のゲートに電圧を印加せず、且つトランジスタＴＲ１１，ＴＲ２１，
ＴＲ３１のゲートに電圧を印加する。すると、データ電極用電源回路１２１が有する図９
の回路においては、接続点Ｐ１から先ほどの白選択電圧Ｖ２より高い電圧の白選択電圧Ｖ
２１がデータ電極駆動回路１３１へ供給される。また、走査電極用電源回路１２２が有す
る回路Ｃ１においては、接続点Ｐ２から電圧（Ｖ１＋Ｖ２）より高い電圧（Ｖ１＋Ｖ２１
）が走査電極駆動回路１３２へ供給され、回路Ｃ３においては、接続点Ｐ３から電圧（Ｖ
１＋Ｖ２）／２より高い電圧（Ｖ１＋Ｖ２１）／２が走査電極駆動回路１３２へ供給され
る。
【００６１】
そして、表示装置１４０を駆動する際には、これらの電圧が選択されて表示装置１４０
に印加される。具体的には、以下、表示装置１４０の走査線Ｙ１に着目して説明すると、
リセット期間が終了して選択期間に移行した際、走査線Ｙ１においては、選択期間の前半
においてはゼロ、後半においては走査電極用電源回路１２２から供給された（Ｖ１＋Ｖ２
１）の電圧が走査電極駆動回路１３２から印加される。
【００６２】
一方、データ線Ｘ１、Ｘ２、…、Ｘｍにおいては、表示体駆動制御回路１１５から出力
されたビットマップデータに応じてデータ電極駆動回路１３１から電圧が印加される。例
えば、１行目のビットマップデータの１列目の画素が白である場合、データ線Ｘ１におい
ては、選択期間の前半においては白選択電圧Ｖ２より高い電圧の白選択電圧Ｖ２１、選択
期間の後半においては黒選択電圧Ｖ１という波形の電圧が印加される。これにより、走査
線Ｙ１とデータ線Ｘ１とが交差する位置の電気光学素子１４１には、選択期間の前半にお
いてはＶ２１、後半においては−Ｖ２１という電圧が印加され、コレステリック液晶がＨ
配向となる。
【００６３】
また、例えば、ビットマップデータの２列目の画素が黒である場合、データ線Ｘ２にお
いては、選択期間の前半においては黒選択電圧Ｖ１、選択期間の後半においては白選択電
圧Ｖ２より高い白選択電圧Ｖ２１という波形の電圧が印加される。これにより、走査線Ｙ
１とデータ線Ｘ２とが交差する位置の電気光学素子１４１には、選択期間の前半において
はＶ１、後半においては−Ｖ１という電圧が印加され、コレステリック液晶がＴＰ配向と
なる。
【００６４】
そして、保持期間をへて非選択期間に移行すると、走査線Ｙ１においては、（Ｖ１＋Ｖ
２）／２より高い電圧（Ｖ１＋Ｖ２１）／２が走査電極駆動回路１３２から印加されて保
持電圧が除去される。すると、保持期間においてＨ配向であった走査線Ｙ１とデータ線Ｘ
１とが交差する位置の電気光学素子１４１はＰ配向に遷移して白を表示し、保持期間にお
いてＦ配向であった走査線Ｙ１とデータ線Ｘ２とが交差する位置の電気光学素子１４１は
Ｆ配向を維持して黒を表示する。
【００６５】
そして、太陽光または白熱灯の光が当たり続けると、表示装置１４０の温度はさらに上
昇する。表示装置１４０の温度がさらに上昇してから、再度、画像の表示を指示する操作
がユーザにより行われると、ＣＰＵ１１１は、上述した動作と同様に複数の温度センサ１
５０の出力結果から温度センサ１５０の位置の温度の平均値を求める。ここで、温度の平
均値が上昇して例えば４７℃となった場合、図８に示したテーブルＴＢ１から選択期間の
時間間隔として、温度の平均値が４５℃の時と同じ「ａ４５［ｍｓ］」という時間が読み
出される。そしてＣＰＵ１１１は、読み出した時間を表示体駆動制御回路１１５へ出力す
る。即ち、温度の平均値が４５℃以上となった場合、平均の温度値にかかわらず、選択期
間の時間間隔は一定となる。
また、ＣＰＵ１１１は、温度の平均値が４５℃の時と同様に、トランジスタＴＲ１２，
ＴＲ２２，ＴＲ３２のゲートに電圧を印加せず、且つトランジスタＴＲ１１，ＴＲ２１，
ＴＲ３１のゲートに電圧を印加する。これにより、データ電極用電源回路１２１と走査電
極用電源回路１２２からは、温度の平均値が４５℃の時と同様の電圧が出力され、出力さ
れた電圧が表示装置１４０に適宜印加されて画像が表示される。
【００６６】
図１１は、選択期間を固定した時における選択電圧とコレステリック液晶の反射率との
関係の温度特性を模式的に示した図であり、横軸は選択電圧、縦軸は反射率を示している
。反射率は、基準となる標準白色板の反射輝度を１００％としたときの相対値である。こ
の反射率が高い（白レベル）ということは、コレステリック液晶がプレーナ配向に近づい
て白みが強くなっていることを意味し、反射率が低い（黒レベル）ということは、コレス
テリック液晶がフォーカルコニック配向に近づいて黒みが強くなっていることを意味する
。そして、反射率が白レベルと黒レベルの間にあるということは、白と黒の間の中間調（
グレー）が表れていることを意味する。
図１１から、コレステリック液晶の温度が４５℃であるときに白選択電圧がＶ２のまま
であると、反射率が１００％とならず白が正しく表示されないことが分かる。しかしなが
ら、本実施形態においては、コレステリック液晶の温度が４５℃以上になって選択期間の
時間がａ４５［ｍｓ］に固定された時には、白選択電圧が、Ｖ２より高いＶ２１になるの
で、コレステリック液晶の温度が４５℃以上となっても白を表示すべき部分がグレーや黒
になることがなく、表示が正しく行われる。
【００６７】
［変形例］
以上、本発明の実施形態について説明したが、本発明は上述した実施形態に限定される
ことなく、他の様々な形態で実施可能である。例えば、上述の実施形態を以下のように変
形して本発明を実施してもよい。
【００６８】
上述した実施形態においては、温度センサ１５０で検知した温度が４５℃以上となった
時に選択期間の時間間隔が一定となっているが、時間間隔を一定にするのは４５℃以上に
限定されるものではなく、例えば、テーブルＴＢ１に格納する時間を変更し、４６℃以上
になった時に選択期間の時間間隔が一定となるようにしてもよいし、４４℃以上になった
時に選択期間の時間間隔が一定となるようにしてもよい。
【００６９】
上述した実施形態においては、データ電極用電源回路１２１は、図１２に示したように
、図９に示した回路と、抵抗Ｒ４，Ｒ４１，Ｒ４２、Ｐチャネルの電界効果型トランジス
タＴＲ４１，ＴＲ４２（以下、トランジスタＴＲ４１、トランジスタＴＲ４２と略称する
）を有する回路Ｃ３とを有していてもよい。この回路Ｃ３は、データ線に印加する黒選択
電圧を出力する回路であり、各抵抗とトランジスタは図９に示した回路と同様に構成され
ている。
ＣＰＵ１１１がトランジスタＴＲ４１のゲートに電圧を印加せず、且つトランジスタＴ
Ｒ４２のゲートに電圧を印加すると、トランジスタＴＲ４１がオンでトランジスタＴＲ４
２がオフとなり、電源ＶＤＤからトランジスタＴＲ４１を介して抵抗Ｒ４１へ電流が流れ
るため、接続点Ｐ４の電圧は、抵抗Ｒ４と抵抗Ｒ４１との分圧により黒選択電圧Ｖ１とな
る。一方、ＣＰＵ１１１がトランジスタＴＲ４２のゲートに電圧を印加せず、且つトラン
ジスタＴＲ４１のゲートに電圧を印加すると、トランジスタＴＲ４２がオンでトランジス
タＴＲ４１がオフとなり、電源ＶＤＤからトランジスタＴＲ４２を介して抵抗Ｒ４２へ電
流が流れるため、接続点Ｐ４の電圧は、抵抗Ｒ４と抵抗Ｒ４２との分圧により黒選択電圧
Ｖ１より高い電圧である黒選択電圧Ｖ１１となる。
この回路を有する電子機器１００においては、温度センサ１５０で検知した温度が所定
の温度以上となった場合に選択期間の時間間隔を一定にすると共に、白選択電圧をＶ２か
らＶ２１に切り替え、また黒選択電圧もＶ１からＶ１１に切り替え、黒選択電圧と白選択
電圧をシフトさせてもよい。このように、白選択電圧及び黒選択電圧を切り替えて、非選
択期間における非選択電圧（Ｖ２１−Ｖ１１）／２を一定に保つことで、非選択電圧が大
きくなりすぎて、非選択期間中に表示が変化することを避けることが可能となる。
【００７０】
また、図１３に示したように、図９に示した回路を変更してトランジスタと分圧用の抵
抗との組を複数設けた構成とし、分圧用の抵抗Ｒ１１〜Ｒ１ｎの抵抗値を各々異ならせて
もよい。そして、ＣＰＵ１１１から各トランジスタのオン／オフを制御することにより、
接続点Ｐ１から出力される電圧を複数段階で切り替えられるようにしてもよい。なお、図
１２に示した回路においては、オンとなるトランジスタがＴＲ１１からＴＲ１ｎへ順次切
り替わっていくと、接続点Ｐ１から出力される電圧も順次高くなっていくように抵抗１１
〜抵抗１ｎの抵抗値が設定されているのが好ましい。
そして、例えば、温度センサ１５０で検知した温度が４５℃の場合はトランジスタＴＲ
１２のみをオン、温度が４６℃の場合はトランジスタＴＲ１３のみをオンというように、
温度の上昇に合わせてオンさせるトランジスタを替えていってもよい。この構成によれば
、温度上昇に合わせて白選択電圧が順次上昇していくこととなる。
【００７１】
また、黒選択電圧を切り替える回路を設けた場合にも、黒選択電圧を切り替える回路を
図１３に示した回路と同様の回路構成とし、黒選択電圧を複数段階で切り替えられるよう
にしてもよい。この場合、液晶の温度上昇に伴って白選択電圧を変更するのと同時に黒選
択電圧も変更し、黒選択電圧と白選択電圧を温度上昇に合わせてシフトさせてもよい。
例えば、上述した実施形態において、４５℃未満のときには選択電圧が図１４（選択期
間を固定した時における選択電圧とコレステリック液晶の反射率との関係の温度特性を模
式的に示した図）に示した黒選択電圧Ｖ１と白選択電圧Ｖ２に設定されているとする。
ここで、温度センサ１５０により検知された温度が４７℃となった場合、例えば、図１
４に示したように黒選択電圧を黒選択電圧ＶＳ１に、白選択電圧を白選択電圧Ｓ２にシフ
トさせる。温度が４７℃になった時に図６のグレー選択のデータ電圧波形のように、この
黒選択電圧ＶＳ１と白選択電圧Ｓ２との電圧印加期間を制御すれば、中間階調の表示も正
しく行うことができる。
また、図１０に示した回路においても図１３に示した回路と同様にトランジスタと分圧
用の抵抗との組を複数設けた構成とし、白選択電圧の切り替えと共に、選択期間に印加す
る電圧や非選択期間に印加する電圧を多段階で切り替えられるようにしてもよい。
【００７２】
上述した実施形態においては、温度センサ１５０の数は複数となっているが、温度セン
サ１５０の数は一つであってもよい。また、上述した実施形態においては、複数の温度セ
ンサ１５０で検知した温度の平均値を使用して選択期間の時間間隔や白選択電圧を切り替
えているが、複数の温度センサ１５０を使用する場合は、検知した温度の最高温度や最低
温度を使用して選択期間の時間間隔や白選択電圧を切り替えてもよい。
【図面の簡単な説明】
【００７３】
【図１】本発明の一実施形態に係る電子機器１００のハードウェア構成図である。
【図２】表示装置１４０の断面とコレステリック液晶の配向状態を示した図である。
【図３】表示装置１４０の走査線とデータ線とを模式的に示した図である。
【図４】ＤＤＳにおける電圧印加期間を説明するための図である。
【図５】ＤＤＳにおけるコレステリック液晶の配向遷移を説明するための図である。
【図６】ＤＤＳにおける駆動電圧を説明するための図である。
【図７】温度センサ１５０の構成を示した図である。
【図８】テーブルＴＢ１を例示した図である。
【図９】白選択電圧を切り替える回路を示した図である。
【図１０】走査線に印加する電圧を生成する回路を示した図である。
【図１１】温度の違いによる選択電圧と反射率との関係を模式的に示した図である。
【図１２】白選択電圧を切り替える回路と黒選択電圧を切り替える回路を示した図である。
【図１３】白選択電圧を切り替える回路の変形例を示した図である。
【図１４】温度の違いによる選択電圧と反射率との関係を模式的に示した図である。
【符号の説明】
【００７４】
１００・・・電子機器、１１０・・・制御回路、１１１・・・ＣＰＵ、１１２・・・ＲＯ
Ｍ、１１３・・・ＲＡＭ、１１４・・・ＡＤコンバータ、１１５・・・表示体駆動制御回
路、１２０・・・電源回路、１２１・・・データ電極用電源回路、１２２・・・走査電極
用電源回路、１３０・・・表示体駆動回路、１３１・・・データ電極駆動回路、１３２・
・・走査電極駆動回路、１４０・・・表示装置、１５０・・・温度センサ、１６０・・・
インターフェース、１４１１・・・コレステリック液晶層、１４１２・・・上側ガラス基
板、１４１３・・・下側ガラス基板、１４１４・・・上側透明電極、１４１５・・・下側
透明電極、１４１６・・・光吸収層
【図１】
2008242379.tif 000003
【図２】
2008242379.tif 000004
【図３】
2008242379.tif 000005
【図４】
2008242379.tif 000006
【図５】
2008242379.tif 000007
【図６】
2008242379.tif 000008
【図７】
2008242379.tif 000009
【図８】
2008242379.tif 000010
【図９】
2008242379.tif 000011
【図１０】
2008242379.tif 000012
【図１１】
2008242379.tif 000013
【図１２】
2008242379.tif 000014
【図１３】
2008242379.tif 000015
【図１４】
2008242379.tif 000016